(57)【要約】      （修正有）【課題】操作用画像の操作の選択忘れや選択間違いを防ぐ画像処理装置を提供する。【解決手段】制御部は、操作用画像３０１の操作が予め定められた操作条件を満たす場合、前記操作用画像３０１に代えて前記操作が有効であることを示す表示用画像３０２を予め定められた時間、画像処理部に表示させた後、前記操作が確定したことを示す操作用画像３０３を表示させ、前記操作用画像３０１の操作が予め定められた操作条件を満たさない場合、前記操作用画像３０１に代えて前記操作が無効であることを示す表示用画像を予め定められた時間、前記画像処理部に表示させた後、前記操作用画像３０１を再度表示させる。【選択図】図６
2014089670.tif 000002
【特許請求の範囲】
【請求項１】
表示部と、前記表示部に表示された操作用画像を通じて操作者からの操作を受け付ける操作部と、前記操作用画像の操作に基づき予め定められた表示用画像または他の前記操作用画像を前記表示部に表示させる画像処理部と、前記操作用画像および前記表示用画像を保持する記憶部と、前記表示部、前記操作部、前記画像処理部および前記記憶部を制御する制御部とを備え、
前記制御部は、前記操作用画像の操作が予め定められた操作条件を満たす場合、前記操作用画像に代えて前記操作が有効であることを示す前記表示用画像を予め定められた時間、前記画像処理部に表示させた後、前記操作が確定したことを示す前記操作用画像を表示させ、
前記操作用画像の操作が予め定められた操作条件を満たさない場合、前記操作用画像に代えて前記操作が無効であることを示す前記表示用画像を予め定められた時間、前記画像処理部に表示させた後、前記操作用画像を再度表示させることを特徴とする画像処理装置。
【請求項２】
前記制御部は、第１の前記操作用画像の操作が予め定められた操作条件を満たす場合、前記操作用画像に代えて前記操作が有効であることを示す第１の前記表示用画像を予め定められた時間、前記画像処理部に表示させた後、前記操作が確定したことを示す第２の前記操作用画像を表示させ、
第２の前記操作用画像の操作が予め定められた操作条件を満たす場合、前記操作用画像に代えて前記操作が有効であることを示す第２の前記表示用画像を予め定められた時間、前記画像処理部に表示させた後、前記操作が確定したことを示す第１の前記操作用画像を表示させ、
第１および第２の前記表示用画像が互いに異なる請求項１に記載の画像処理装置。
【請求項３】
前記表示部は、少なくとも２つの前記操作用画像を表示させ、
前記操作部は、前記操作用画像から一の前記操作用画像を択一的に選択する操作を受け付け、
前記制御部は、選択された一の前記操作用画像の操作が予め定められた操作条件を満たす場合、選択された前記操作用画像に代えて前記操作が有効であることを示す前記表示用画像を予め定められた時間、前記画像処理部に表示させた後、前記操作が確定したことを示す前記操作用画像を表示させ、選択されなかった他の前記操作用画像に代えて選択されなかったことを示す前記操作用画像を表示させる請求項１または２に記載の画像処理装置。
【請求項４】
前記操作用画像の操作が有効であることを示す前記表示用画像は、チェックマーク画像または前記操作用画像を拡大もしくは縮小した画像、もしくは前記操作用画像の色彩を変更した画像のうち、少なくとも１つを有する請求項１から３までのいずれか１つに記載の画像処理装置。
【請求項５】
前記操作用画像は、指示体との接触により操作されるボタン画像であり、
前記制御部は、前記ボタン画像への前記指示体の接触を検出したとき、または前記接触の後、前記ボタン画像からの前記指示体の離脱を検出したとき、予め定められた操作条件が満たされたものとする請求項１から４までのいずれか１つに記載の画像処理装置。
【請求項６】
前記操作用画像は、指示体との接触により操作されるボタン画像であり、
前記制御部は、前記ボタン画像への前記指示体の接触後、前記指示体が前記表示部との接触を保ったまま前記ボタン画像の領域外に出たとき、予め定められた操作条件が満たされていないものとする請求項１から４までのいずれか１つに記載の画像処理装置。
【発明の詳細な説明】
【技術分野】
【０００１】
この発明は、画像処理装置に関する。
【背景技術】
【０００２】
タッチパネルによるＧＵＩ（Graphical User Interface）を有する画像処理装置は、屋内に設置されて使用されるものとして、例えば、銀行や郵便局等のＡＴＭ（現金自動預入支払機）、駅の構内等の自動券売機、コンビニエンスストアの多機能端末などがある。一方、屋外で使用されるものとして、例えば、スマートフォン等の携帯端末、携帯音楽プレーヤー、携帯ゲーム機、デジタルカメラなどの携帯機器がある。また、例えば、セルフサービス型のガソリンスタンドに設置された給油オーダー機や、商業施設等の案内板、デジタルサイネージ（電子看板）など、近年、タッチパネル機能を有する屋外設置型の画像処理装置も多く見られるようになってきている。
【０００３】
ところで、これらのタッチパネル機能を有する画像処理装置において、操作者（オペレーター）の操作対象となる操作用画像としてのボタン画像は、凹凸を有する物理的な押しボタンとは異なり、ディスプレイに表示された平面的な画像であるため、操作者の触覚によってボタン画像の凹凸を認識できないという問題がある。それゆえ、従来は、操作者がボタン画像を指で押したときに、図８の例に示すように、ボタン画像を変化させるか、または、音声を発することによって、当該ボタン画像の操作が有効になったことを知らせていた。
【０００４】
図８は、従来の画像処理装置のボタン画像操作が有効となった場合の画像処理方法を示す説明図である。
図８（Ａ）において、凸形状に影付けされた「×しない」ボタン画像が初期画像として表示されている状態において、操作者が当該ボタン画像を指でタッチした（押した）とき、図８（Ｂ）に示すように、凹形状に影付けされた「×しない」ボタン画像に変更される。続いて、図８（Ｂ）に示す状態において、操作者が当該ボタン画像から指をリリースする（離す）と、図８（Ｃ）に示すように、凸形状に影付けされた元の「×しない」ボタン画像に変更される。
このように、凹凸形状に影付けすることにより、ボタン画像の立体感を表し、操作者は、凹凸形状に影付けされたボタン画像の変化を認識することによって、操作が有効になったか否かを知ることができる。
【０００５】
また、別の画像処理方法として、図８（Ｄ）において、凸形状に影付けされた「×しない」ボタン画像が初期画像として表示されている状態において、操作者が当該ボタン画像に指でタップした（押した後すぐに離した）とき、図８（Ｅ）に示すように、凸形状に影付けされた別の「○する」ボタン画像に変更される。
このように、凹凸形状に影付けしてボタン画像の立体感を表すことに加え、操作者は、初期状態のボタン画像とは異なる別のボタン画像への変化を認識することによって、操作が有効になったか否かを知ることができる。
また、上記の画像処理方法に加えて、ブザー等の操作音を鳴らすこともある。このような操作音を採用する場合、ボタン画像が押されて有効となった時に、有効となったことを示すボタン画像に初期画像を差し替えると同時に操作音を鳴らす。このように操作音を鳴らすことによって、操作者は、ボタン画像の変化だけでなく操作音によっても操作が有効になったことを知ることができる。
【０００６】
一方、別の画像処理方法として、例えば、２枚（第１および第２）のタッチパネルが重ねられたディスプレイをタッチした際、２枚のタッチパネルがタッチ検出した状態に応じて表示を切り替えられる、つまり第１のタッチパネルをタッチした状態の表示と第２のタッチパネルをタッチした状態の表示とが異なるようにして、表示される操作ボタンなどの表示内容に関する認識を容易にし、操作をし易くして操作性を高めることができるようにするタッチパネル付きディスプレイ装置及び表示方法が知られている（例えば、特許文献１を参照）。
【先行技術文献】
【特許文献】
【０００７】
【特許文献１】特開２００３−５９１２
【発明の概要】
【発明が解決しようとする課題】
【０００８】
ところで、図８（Ａ）〜（Ｃ）に示される画像処理方法において、操作者は、ボタン画像の凹凸を表す陰影の違いから当該ボタン画像が有効になったか否かを判断するが、操作環境によっては、操作が有効になったか否かの判断が容易でない場合がある。特に、屋外においてタッチパネル機能を有する画像処理装置が広く使用されるようになると、このような問題が一層顕著に見られるようになった。例えば、ガソリンスタンドの給油オーダー機のように、屋外の明るい場所に画像処理装置が設置された場合、ディスプレイの光反射等の影響によっては、ボタン画像の陰影の違いからその変化を見分けることが容易でない場合があり、操作が有効となったか否かが判別しにくいという問題がある。
同様に、図８（Ｄ）（Ｅ）に示される画像処理方法においても、屋外環境におけるディスプレイの光反射等の影響によっては、別のボタン画像に切り替わったか否かの判別が困難になる場合がある。
また、ボタン画像操作が有効であることを操作音によって知らせる方法の場合、ガソリンスタンドなどの周囲の騒音が大きい環境で使用すると、タッチ音などの操作音が聴き取りにくい場合がある。一方、静かな環境で使用する場合でも、操作音を鳴らすこと自体が禁止されているときや、マナー状態で携帯機器を使用したいときなどに問題が生じることがある。
【０００９】
一方、２枚のタッチパネルが重ねられたディスプレイを有する画像処理装置を用いる画像処理方法は、２枚のタッチパネルを有する画像処理装置を利用するため、１枚のタッチパネルを有する従来の画像処理装置をそのまま利用できず、新たな画像処理装置が必要となるため、コストがかかるという問題があった。
【００１０】
このような事情に鑑み、屋外などの明るい場所で操作用画像を操作する場合においても、操作が有効になったか否かを操作者が容易に判別可能な画像処理装置が求められていた。
【課題を解決するための手段】
【００１１】
この発明は、表示部と、前記表示部に表示された操作用画像を通じて操作者からの操作を受け付ける操作部と、前記操作用画像の操作に基づき予め定められた表示用画像または他の前記操作用画像を前記表示部に表示させる画像処理部と、前記操作用画像および前記表示用画像を保持する記憶部と、前記表示部、前記操作部、前記画像処理部および前記記憶部を制御する制御部とを備え、前記制御部は、前記操作用画像の操作が予め定められた操作条件を満たす場合、前記操作用画像に代えて前記操作が有効であることを示す前記表示用画像を予め定められた時間、前記画像処理部に表示させた後、前記操作が確定したことを示す前記操作用画像を表示させ、前記操作用画像の操作が予め定められた操作条件を満たさない場合、前記操作用画像に代えて前記操作が無効であることを示す前記表示用画像を予め定められた時間、前記画像処理部に表示させた後、前記操作用画像を再度表示させることを特徴とする画像処理装置を提供するものである。
【発明の効果】
【００１２】
この発明によれば、操作用画像の操作条件が満たされた場合、操作用画像の変化前に、予め定められた表示用画像を予め定められた時間の間表示させるため、操作が有効になったか否かが操作者に容易に判別でき、屋外などの明るい場所で操作用画像を操作する場合でも、操作用画像の操作の選択忘れや選択間違いを防ぐことが可能な画像処理装置を実現する。
【図面の簡単な説明】
【００１３】
【図１】この発明の第１実施形態に係る画像処理装置の概略構成を示すブロック図である。
【図２】図１に示す記憶部に格納されたボタン画像の制御データの説明図である。
【図３】この発明の第１実施形態に係る画像処理装置の表示部のボタン画像操作の有効表示処理を示すフローチャートである。
【図４】図３に示す画像処理装置の表示部のボタン画像の操作処理の詳細を示すフローチャートである。
【図５】図１に示す画像処理装置のボタン画像操作が有効となった場合の有効表示処理の具体例を示す説明図である。
【図６】この発明の第１実施形態に係る画像処理装置の表示部のボタン画像操作の有効表示処理を示す説明図である。
【図７】図６に示す有効表示処理の変形例を示す説明図である。
【図８】従来の画像処理装置のボタン画像操作が有効となった場合の画像処理方法を示す説明図である。
【発明を実施するための形態】
【００１４】
この発明は、表示部と、前記表示部に表示された操作用画像を通じて操作者からの操作を受け付ける操作部と、前記操作用画像の操作に基づき予め定められた表示用画像または他の前記操作用画像を前記表示部に表示させる画像処理部と、前記操作用画像および前記表示用画像を保持する記憶部と、前記表示部、前記操作部、前記画像処理部および前記記憶部を制御する制御部とを備え、前記制御部は、前記操作用画像の操作が予め定められた操作条件を満たす場合、前記操作用画像に代えて前記操作が有効であることを示す前記表示用画像を予め定められた時間、前記画像処理部に表示させた後、前記操作が確定したことを示す前記操作用画像を表示させ、前記操作用画像の操作が予め定められた操作条件を満たさない場合、前記操作用画像に代えて前記操作が無効であることを示す前記表示用画像を予め定められた時間、前記画像処理部に表示させた後、前記操作用画像を再度表示させることを特徴とする画像処理装置を提供するものである。
【００１５】
「操作用画像」とは、表示部に表示された画像を通じて操作者が操作するための画像であり、例えば、タッチパネルに表示されたアイコン画像である。
「操作」とは、表示部に表示された操作用画像を通じた操作、例えば、操作用画像がボタン画像の場合、当該ボタン画像を操作者が指先でタッチする（押す）操作や、タップする（押して離す）操作などをいう。
「画像処理装置」とは、ＧＵＩを有する情報処理装置、携帯端末、自動販売・サービス機などの装置であり、携帯型または設置型のいずれであってもよい。また、設置型の場合、屋外に設置される装置に限られず、屋内に設置される装置であってもよい。
【００１６】
この発明の画像処理装置において、前記制御部は、第１の前記操作用画像の操作が予め定められた操作条件を満たす場合、前記操作用画像に代えて前記操作が有効であることを示す第１の前記表示用画像を予め定められた時間、前記画像処理部に表示させた後、前記操作が確定したことを示す第２の前記操作用画像を表示させ、第２の前記操作用画像の操作が予め定められた操作条件を満たす場合、前記操作用画像に代えて前記操作が有効であることを示す第２の前記表示用画像を予め定められた時間、前記画像処理部に表示させた後、前記操作が確定したことを示す第１の前記操作用画像を表示させ、第１および第２の前記表示用画像が互いに異なるものであってもよい。
【００１７】
このようにすれば、操作用画像の選択時にいずれの操作用画像が有効になったのかを表示する表示用画像が異なることから、第１の操作用画像および第２の操作用画像の操作のいずれの操作が有効になったのか、操作者が容易に判別可能となるため、屋外などの明るい場所で操作用画像を複数回操作する場合であっても、操作の選択忘れや選択間違いを防ぐことができる。
【００１８】
また、この発明の画像処理装置において、前記表示部は、少なくとも２つの前記操作用画像を表示させ、前記操作部は、前記操作用画像から一の前記操作用画像を択一的に選択する操作を受け付け、前記制御部は、選択された一の前記操作用画像の操作が予め定められた操作条件を満たす場合、選択された前記操作用画像に代えて前記操作が有効であることを示す前記表示用画像を予め定められた時間、前記画像処理部に表示させた後、前記操作が確定したことを示す前記操作用画像を表示させ、選択されなかった他の前記操作用画像に代えて選択されなかったことを示す前記操作用画像を表示させるものであってもよい。
【００１９】
このようにすれば、少なくとも２つの操作用画像から一の操作用画像を選択する場合においても、操作者が選択した一の操作用画像のみに前記操作が有効であることを示す表示用画像が表示され、一方、選択されなかった操作用画像に代えて非選択状態の操作用画像が表示されるため、選択間違いを防ぐことが可能となる。
【００２０】
さらに、この発明の画像処理装置において、前記操作用画像の操作が有効であることを示す前記表示用画像は、チェックマーク画像または前記操作用画像を拡大もしくは縮小した画像、もしくは前記操作用画像の色彩を変更した画像のうち、少なくとも１つを有するものであってもよい。
【００２１】
このようにすれば、操作が有効であることを示す表示用画像をチェックマーク画像または操作用画像の色彩を変更した画像とすることにより、屋外などの明るい場所で操作用画像を操作する場合においても、操作が有効になったか否かを操作者が容易に判別でき、操作用画像操作の選択忘れや選択間違いを防ぐことが可能となる。
また、操作用画像を拡大もしくは縮小した画像とすることにより、小型化された画像処理装置の表示部に表示された操作用画像を操作する場合において、操作用画像が指に隠れて見えないときであっても、操作が有効になったか否かを操作者が容易に判別でき、操作用画像の操作の選択忘れや選択間違いを防ぐことが可能となる。
【００２２】
さらに、操作が有効であることを示す表示用画像において、前後に表示される操作用画像との間で、色の明度差、彩度差、色相差の対比を強くすることにより、屋外における視認性を高めることが可能となる。また、表示用画像を点滅させる等、動的な変化をつけることによって視認性を高めるものであってもよい。
【００２３】
さらに、この発明の画像処理装置において、前記操作用画像は、指示体との接触により操作されるボタン画像であり、前記制御部は、前記ボタン画像への前記指示体の接触を検出したとき、または前記接触の後、前記ボタン画像からの前記指示体の離脱を検出したとき、予め定められた操作条件が満たされたものとするものであってもよい。
【００２４】
このようにすれば、ボタン画像を押してそれが有効になったとき、屋外などの明るい場所でボタン画像を操作する場合においても、操作が有効になったか否かを操作者が容易に判別でき、ボタン画像を十分に押さないことによる操作忘れや、互いに近くに表示されたボタン画像の選択間違いを防ぐことが可能となる。
【００２５】
「指示体」とは、操作者の指先やタッチペンのペン先など、操作者による操作の対象となる操作用画像を指示（選択）し、操作するためのポインタである。
「接触」とは、操作用画像を表示したディスプレイ表面に指示体が物理的に接触している場合の他、非接触であっても、指示体がディスプレイ表面から予め定められた距離内にある状態を指すものであってもよい。
「離脱」とは、ディスプレイ表面に表示された操作用画像の領域内において、指示体がディスプレイ表面に「接触」した状態から、当該ディスプレイ表面から遠ざかる方向へ移動した結果、ディスプレイ表面と「接触」しなくなる変化である。一方、「離脱」に該当しない場合として、例えば、ディスプレイ表面に指示体が「接触」したまま、ディスプレイ表面上をスライドして操作用画像の領域外に移動した場合が挙げられる。
【００２６】
さらに、この発明の画像処理装置において、前記操作用画像は、指示体との接触により操作されるボタン画像であり、前記制御部は、前記ボタン画像への前記指示体の接触後、前記指示体が前記表示部との接触を保ったまま前記ボタン画像の領域外に出たとき、予め定められた操作条件が満たされていないものとするものであってもよい。
【００２７】
このようにすれば、ボタン画像を操作者の指が接触した後、当該ボタン画像から離れることをボタン画像操作の有効条件とすることにより、ボタン画像に指が接触したまま、当該ボタン画像の領域外に指がスライドして離すなどの不正操作が発生した場合であっても、初期状態に戻るため、ボタン画像の選択時に意図せずしてディスプレイ上を指がすべることによって、隣のボタン画像が選択されることによる選択間違いを防ぐことが可能となる。
【００２８】
〔第１実施形態〕
＜画像処理装置の構成＞
最初に、図１に基づき、この発明の第１実施形態に係る画像処理装置１００の構成を説明する。
図１は、この発明の第１実施形態に係る画像処理装置１００の概略構成を示すブロック図である。
【００２９】
図１に示すように、この発明の画像処理装置１００は、画像処理装置１００の各部の制御を統括する制御部１０と、操作者に操作用のアイコン画像などのＧＵＩを描画するための表示部１１と、操作用のアイコン画像データなどを保存する記憶部１２と、操作用のアイコン画像などのＧＵＩから入力操作を行うための操作部１３とを備える。
また、画像処理装置１００は、オプション１０１として、操作者の操作が有効となった場合に予め定められた時間予め定められた周波数の音声を鳴らして操作が有効となった旨を操作者に知らせる音声再生部１４と、操作が有効となった場合に予め定められた時間、振動（バイブレーション）を生じさせることによって操作が有効となった旨を操作者に知らせる振動部１５と、操作結果を外部へ送信するための通信部１６とを備えることもできる。
【００３０】
第１実施形態において、この発明の「画像処理部」は、制御部１０によって実現される。
【００３１】
以下、図１に示す各構成要素を説明する。
制御部１０は、マイクロプロセッサ(Microprocessor)を主体とする回路であり、各種装置の制御処理やオペレーティングシステム、アプリケーションソフトウェアなどの処理を行う演算装置である。また、周辺回路として、特定の用途のために設計、製造される集積回路であるＡＳＩＣ（Application Specific Integrated Circuit）、その他の演算機能を有する回路を含んでいてもよい。
【００３２】
表示部１１は、例えば、ＣＲＴディスプレイ、液晶ディスプレイ、ＥＬディスプレイなどで構成され、オペレーティングシステムやアプリケーションソフトウェアが処理状態など電子的なデータを表示するためのモニタやラインディスプレイなどの表示装置である。これらのディスプレイの表示面をタッチパネルで覆い、表示部１１に接触した操作者の指先等の位置を検出してタッチパネル操作を行う。位置検知方式としては、電圧を検知する抵抗膜方式、静電容量の変化を検知する静電容量方式、赤外光を遮断して検知する光学方式、超音波を検知する超音波方式、電子ペンを指示体として用いる電磁誘導方式などのいずれの方式であってもよい。また、赤外線等を用いて指先等の位置を非接触で感知できる方式であってもよい。
【００３３】
記憶部１２は、各種装置の制御処理やオペレーティングシステム、アプリケーションソフトウェアなどのプログラムおよびデータが保管される、ハードディスクやフラッシュメモリなどの不揮発性の記憶装置、各種装置の制御処理やオペレーティングシステム、アプリケーションソフトウェアなどのプログラムやデータが格納される主記憶装置などの記憶装置である。
操作部１３は、オペレーティングシステムやアプリケーションソフトウェアに対し、タッチパネルを通じた電子アイコンの操作、その他物理的なボタン画像の操作により、アプリケーションの処理の指示や情報入力等の操作者の入力操作を制御部１０に伝える装置である。
【００３４】
音声再生部１４は、ブザー音などをならして操作者に通知するスピーカーである。
振動部１５は、振動（バイブレーション）を発生させて操作者に通知する、振動モータなどの振動装置である。
通信部１６は、外部のネットワークシステムと無線通信するための装置である。無線通信規格としては、例えば、ＩＭＴ−２０００規格に準拠したＷ−ＣＤＭＡやＣＤＭＡ２０００等の規格、または、無線ＬＡＮの標準規格であるＩＥＥＥ８０２．１１ａ、ＩＥＥＥ８０２．１１ｂ、ＩＥＥＥ８０２．１１ｇ、ＩＥＥＥ８０２．１１ｎ準拠の規格等が挙げられる。
【００３５】
第１実施形態において、操作用画像として、操作ボタン画像を例に説明するが、他のアイコン画像についても同様である。
【００３６】
＜記憶部のデータ構成＞
次に、図２に基づき、図１の記憶部に格納されたボタン画像の制御データの構成を説明する。
図２は、図１に示す記憶部１２に格納されたボタン画像の制御データの説明図である。
【００３７】
図２に示すように、第１実施形態に係るボタン画像の制御データは、大まかに区分して、「基本」、「表示」、「音声」、「振動」、「音声属性」および「振動属性」の６つの区分を有するが、他の区分を有していてもよい。
以下、各区分について詳細を説明する。
【００３８】
「基本」は、「表示位置」、「ボタン画像矩形サイズ」、「ボタン画像操作有効条件」および「有効表示タイプ」の４項目からなるが、他の項目を有していてもよい。
「表示位置」は、「Ｘ方向」と「Ｙ方向」の２種類のデータから構成され、それぞれのデータ長は、２バイト（byte）である。また、単位はピクセル（pixel）で表される。
「ボタン画像矩形サイズ」は、ボタン画像の「横の長さ」と「縦の長さ」の２種類のデータから構成され、それぞれのデータ長は２バイトである。また、単位はピクセル（pixel）で表される。なお、ボタン画像が矩形状でない場合は、その形状に応じたサイズを定義する。例えば、円形状のボタン画像のサイズは、その半径によって定義される。
「ボタン画像操作有効条件」は、ボタン画像操作が有効となる基準時を定めるものである。図２の表に示す例においては、「離した時点：０」と「押した時点：１」の２種類のデータから構成され、データ長は１ビット（bit）である。当該有効条件の設定において、０か１かを選択することにより、ボタン画像操作が有効となる基準時がボタン画像から指示体（操作者の指先など）を離した時点となるか、またはボタン画像を押した時点となるかが決定される。
「有効表示タイプ」は、「標準表示：０」、「拡大表示：１」、「反転表示：２」、「他：３〜」の４種類以上のデータから構成され、データ長は１バイトである。
有効表示タイプの設定において、０〜３のいずれかを選択することにより、有効表示が標準表示となるか、拡大（ズームアップ）表示となるか、反転表示となるか、または、その他の表示となるかが決定される。
【００３９】
標準表示画像として、チェックマーク画像を登録した場合、有効表示タイプを０と設定することで、ボタン画像操作が有効となったとき、チェックマーク画像が表示される。標準表示画像としては、例えば、図５（Ａ）に示されるチェックマークが付された有効画像２０１が挙げられる。
また、拡大表示画像としては、例えば、図５（Ｂ）に示すように、初期状態のボタン画像を当該ボタン画像の中心位置を基準に拡大（ズームアップ）表示した拡大画像２０２が挙げられる。
さらに、反転表示画像としては、例えば、図５（Ｃ）に示すように、初期状態のボタン画像の色を反転表示した反転画像２０３が挙げられる。
また、他の表示画像としては、例えば、操作者の視覚を高めることのできる装飾表示画像などが挙げられる。
【００４０】
「表示」は、「初期」、「有効時」、「確定時」および「操作エラー時」の４項目からなるが、他の項目を有していてもよい。
「初期」は、初期状態の「表示画像データ」であり、そのデータ長は、ボタン画像の矩形サイズ分である。また、ビットマップ（ＢＭＰ）画像などの画像データ形式により表示される。
「有効時」は、有効時の「表示画像データ」と、その「表示時間（ｍｓ）」の２種類のデータから構成される。表示画像データのデータ長は、ボタン画像の矩形サイズ分であり、表示時間のデータ長は、２バイトである。また、「表示画像データ」は、ビットマップ画像などの画像データ形式により表示される。表示時間（ｍｓ）が０（ｍｓ）に設定された場合、有効時の「表示画像データ」の表示はないものとする。
「確定時」は、確定時の「表示画像データ」であり、そのデータ長は、ボタン画像の矩形サイズ分である。また、ビットマップ画像などの画像データ形式により表示される。
「操作エラー時」は、操作エラー時の「表示画像データ」と、その「表示時間（ｍｓ）」の２種類のデータから構成される。表示画像データのデータ長は、ボタン画像の矩形サイズ分であり、表示時間のデータ長は、２バイトである。また、「表示画像データ」は、ビットマップ画像などの画像データ形式により表示される。表示時間（ｍｓ）が０（ｍｓ）に設定された場合、有効時の「表示画像データ」の表示はないものとする。
【００４１】
「音声」は、「確定時」と「操作エラー時」の２項目からなるが、他の項目を有していてもよい。
「確定時」と「操作エラー時」の「再生時間（ｍｓ）」のデータ長はいずれも２バイトであり、再生時間が０（ｍｓ）に設定された場合、再生音の再生はないものとする。
【００４２】
「振動」は、「確定時」と「操作エラー時」の２項目からなる。
「確定時」と「操作エラー時」の「振動時間（ｍｓ）」のデータ長はいずれも２バイトであり、振動時間が０（ｍｓ）に設定された場合、振動が生じないものとする。
【００４３】
「音声属性」は、「音声」、「音声ファイル」および「ＢＥＥＰ音」の３項目からなるが、他の項目を有していてもよい。
「音声」は、「音声：０」、「ＢＥＥＰ音：１」の２種類のデータから構成され、データ長は１ビットである。設定時において、０か１のいずれかを選択することにより、音声またはＢＥＥＰ音のいずれによって報知するかが決定される。なお、「音声とＢＥＥＰ音の併用：２」のようにして、音声とＢＥＥＰ音の両方が選択可能となるように設定してもよい。
「音声ファイル」は、「音声データ」であり、そのデータ長は１６バイトである。「音声ファイル」は、ＷＡＶなどの音声データ形式により表示される。
「ＢＥＥＰ音」は、「周波数（Ｈｚ）」と、その「持続時間（ｍｓ）」の２種類のデータから構成され、データ長はいずれも２バイトである。また、表示時間（ｍｓ）が０（ｍｓ）に設定された場合、ＢＥＥＰ音は表示されないものとする。
【００４４】
「振動属性」は、「振動強弱」の項目を有するが、他の項目を有していてもよい。
「振動強弱」は、振動の強弱を設定する。振動モータの回転による振動の場合、その強弱は、「回転数（ｒｐｍ）」のデータによって決定される。また、そのデータ長は１バイトである。
【００４５】
＜ボタン画像操作の有効表示処理＞
次に、図３に基づき、この発明の第１実施形態に係る画像処理装置１００の表示部１１のボタン画像操作の有効表示処理について説明する。
図３は、この発明の第１実施形態に係る画像処理装置１００の表示部１１のボタン画像操作の有効表示処理を示すフローチャートである。
【００４６】
最初に、ステップＳ１０１において、制御部１０は、ボタン画像の制御データ（図２）を記憶部１２に事前登録する（ステップＳ１０１）。ボタン画像の制御データは、全ボタン画像共通のデータとして登録しても、ボタン画像ごとに登録しても構わないが、ボタン画像ごとに登録した場合は、ボタン画像ごとに有効表示動作を変えることができる。
【００４７】
次に、ステップＳ１０２において、制御部１０は、ボタン画像の制御データの登録後、目的の処理を行うアプリケーションを起動させる（ステップＳ１０２）。制御部１０は、起動したアプリケーションに、操作者とのユーザーインターフェース（User Interface、ＵＩ)のため、表示部１１にデータや入力画面を表示するための処理を実行させる。
【００４８】
ここで、「ＵＩ入力操作」は、操作対象として文字列を利用するＣＵＩ（Character User Interface）や、文字列以外の視覚的要素を利用するＧＵＩの別を問わず、操作者による入力操作全般を指すものとする。
【００４９】
続いて、ステップＳ１０３において、制御部１０は、画像表示処理を実行する（ステップＳ１０３）。画像表示処理としては、例えば、ディスプレイの画面上にボタン画像が配置されている場合、制御部１０は、記憶部１２に登録されたボタン画像の制御データ（図２）より、初期状態のボタン画像の表示位置、矩形サイズ、表示画像を取得して、表示部１１にボタン画像の初期画像を表示させる。これは、図６において、洗車機システムの装着指定画面が表示部１１に表示された状態に相当する。
【００５０】
次に、ステップＳ１０４において、制御部１０は、操作者から入力操作（ＵＩ入力操作）があるまで待機する（ステップＳ１０４）。
ステップＳ１０４において、操作部１３を通じて操作者からＵＩ入力操作があった場合、制御部１０は、ステップＳ１０５へ進む。
【００５１】
ステップＳ１０５において、制御部１０は、当該ＵＩ入力操作がボタン画像の操作処理に該当するか否かを判定する（ステップＳ１０５）。
ステップＳ１０５において、当該ＵＩ入力操作がボタン画像の操作である場合（ステップＳ１０５の判定がＹｅｓの場合）、制御部１０は、ステップＳ１０６へ進み、ボタン画像操作処理を実行する（ステップＳ１０６）。ボタン画像操作処理の詳細については、続く図４の説明において後述する。
一方、ステップＳ１０５において、当該ＵＩ入力操作がボタン画像の操作でない場合（ステップＳ１０５の判定がＮｏの場合）、制御部１０は、ステップＳ１０７へ進む。
ボタン画像の操作以外のＵＩ入力操作としては、例えば、テキスト、リスト、スクロール入力などが挙げられる。
【００５２】
次に、ステップＳ１０７において、制御部１０は、当該ＵＩ入力操作が画面切り替え操作に該当するか否かを判定する（ステップＳ１０７）。
ステップＳ１０７において、当該ＵＩ入力操作が画面切り替え操作である場合（ステップＳ１０７の判定がＹｅｓの場合）、制御部１０は、ステップＳ１０３へ戻り、画像表示処理を実行する（ステップＳ１０３）。
一方、ステップＳ１０７において、当該ＵＩ入力操作が画面切り替え操作でない場合（ステップＳ１０７の判定がＮｏの場合）、制御部１０は、ステップＳ１０８へ進む。
【００５３】
最後に、ステップＳ１０８において、当該ＵＩ入力操作が処理終了操作の場合（ステップＳ１０８の判定がＹｅｓの場合）、制御部１０は、処理アプリケーションを終了させる。
一方、ステップＳ１０８において、当該ＵＩ入力操作が処理終了操作でない場合（ステップＳ１０８の判定がＮｏの場合）、制御部１０は、ステップＳ１０４へ戻り、操作者から再度のＵＩ入力操作があるまで待機する（ステップＳ１０４）。
【００５４】
＜ボタン画像の操作処理＞
次に、図４に基づき、この発明の第１実施形態に係る画像処理装置１００の表示部１１のボタン画像の操作処理について説明する。
図４は、図３に示す画像処理装置１００の表示部１１のボタン画像の操作処理の詳細を示すフローチャートである。図５は、図１に示す画像処理装置１００のボタン画像操作が有効となった場合の有効表示処理の具体例を示す説明図である。図６は、この発明の第１実施形態に係る画像処理装置１００の表示部１１のボタン画像操作の有効表示処理を示す説明図である。
【００５５】
最初に、ステップＳ２０１において、制御部１０は、ボタン画像の制御データのボタン画像操作の有効条件（図２）を参照し、ボタン画像操作の有効条件がボタン画像を押した時点に設定されているか否かを判定する（ステップＳ２０１）。
ステップＳ２０１において、当該ボタン画像を押した時点にボタン画像操作の有効条件が設定されている場合（ステップＳ２０１の判定がＹｅｓの場合）、制御部１０は、ステップＳ２０２へ進む。
一方、ステップＳ２０１において、当該ボタン画像を押した時点にボタン画像操作の有効条件が設定されていない場合（ステップＳ２０１の判定がＮｏの場合）、制御部１０は、ステップＳ２０６へ進む。
【００５６】
次に、ステップＳ２０２において、制御部１０は、ボタン画像の制御データに登録された有効時の表示タイプ、表示画像データおよび表示時間（図２）を記憶部１２から取得し、当該表示時間の間、ボタン画像の有効画像表示を表示部１１に表示させる（ステップＳ２０２）。
【００５７】
有効画像表示としては、例えば、図５（Ａ）または図６（Ｂ）に示すようなチェックマークが付された有効画像２０１または３０２が挙げられる。これらの例は、ボタン画像の制御データの有効表示タイプが標準表示タイプに設定された場合の例であるが、図５（Ｂ）（Ｃ）に示すように、ボタン画像の中心位置を基準に拡大表示した拡大画像２０２や、初期状態のボタン画像の色を反転表示した反転画像２０３、その他、操作者の視覚を高めることのできる装飾表示画像等を表示部１１に表示させるものであってもよい。
【００５８】
続くステップＳ２０３において、制御部１０は、ボタン画像の制御データより確定時の表示画像データ（図２）を記憶部１２から取得し、表示部１１に元のボタン画像が表示されていた位置に当該確定時の表示画像を表示させる（ステップＳ２０３）。
【００５９】
続いて、ステップＳ２０４において、制御部１０は、ボタン確定を示す音声を再生させるため、ボタン画像の制御データから確定時の音声の再生時間とその音声属性（図２）を記憶部１２から取得し、再生時間の間、音声再生部１４に音声データを再生させる（ステップＳ２０４）。その後、制御部１０は、ステップＳ２０５へ進む。再生時間が０（ｍｓ）に設定されているときは、制御部１０は、音声再生部１４に音声データを再生させることなく、ステップＳ２０５へ進む。
また、制御部１０は、音声の代わりに、振動を発生させるため、確定時の振動の振動時間とその振動属性（図２）を記憶部１２から取得し、または振動部１５から振動時間の間、振動部１５に振動させるものであってもよい。この場合、振動時間が０（ｍｓ）に設定されているときは、制御部１０は、振動部１５に振動させることなく、ステップＳ２０５へ進む。
【００６０】
ここで、確定時の表示画像の例としては、例えば、図６（Ｃ）の確定画像３０３が挙げられる。
【００６１】
最後に、ステップＳ２０５において、制御部１０は、ボタン画像の確定表示、音声再生または振動発生の終了後、ボタン画像の確定に伴うアプリケーション処理を実行する（ステップＳ２０５）。その後、ステップＳ１０４へ戻り、操作者から再度のＵＩ入力操作があるまで待機する（ステップＳ１０４）。
【００６２】
次に、ステップＳ２０６において、制御部１０は、ボタン画像を押した状態のまま、指示体が当該ボタン画像の表示領域外から外れたか否かを判定する（ステップＳ２０６）。
ステップＳ２０６において、ボタン画像を押した状態のまま、指示体がボタン画像の表示領域外から外れた場合（ステップＳ２０６の判定がＹｅｓの場合）、制御部１０は、ステップＳ２０７へ進む。
一方、ステップＳ２０６において、ボタン画像を押した状態のまま、指示体がボタン画像の表示領域外から外れていない場合（ステップＳ２０６の判定がＮｏの場合）、制御部１０は、ステップＳ２１０へ進む。
【００６３】
次に、ステップＳ２０７において、制御部１０は、ボタン画像の制御データに登録された操作エラー時の表示画像データおよびその表示時間（図２）に基づき、当該表示時間の間、表示部１１にボタン画像のエラー画像を表示させる（ステップＳ２０７）。
【００６４】
続くステップＳ２０８において、制御部１０は、操作エラー時の音声を再生させるため、ボタン画像の制御データから操作エラー時の音声の再生時間とその音声属性（図２）を記憶部１２から取得し、再生時間の間、音声再生部１４に音声データを再生させる（ステップＳ２０８）。その後、制御部１０は、ステップＳ２０９へ進む。再生時間が０（ｍｓ）に設定されているときは、制御部１０は、音声再生部１４に音声データを再生させることなく、ステップＳ２０９へ進む。
また、制御部１０は、音声の代わりに、振動を発生させるため、操作エラー時の振動の振動時間とその振動属性（図２）を記憶部１２から取得し、または振動部１５から振動時間の間、振動部１５に振動させるものであってもよい。この場合、振動時間が０（ｍｓ）に設定されているときは、制御部１０は、振動部１５に振動させることなく、ステップＳ２０９へ進む。
【００６５】
最後に、ステップＳ２０９において、制御部１０は、ボタン画像の操作エラー表示、音声再生、振動発生の終了後、ボタン画像の表示内容を初期状態に戻すために、ボタン画像の制御データ（図２）からボタン画像の表示位置、ボタン矩形サイズおよびボタン画像の初期表示画像を参照し、表示部１１にボタン画像を表示させる（ステップＳ２０９）。その後、制御部１０は、ステップＳ１０４へ戻り、操作者から再度のＵＩ入力操作があるまで待機する（ステップＳ１０４）。
【００６６】
次に、ステップＳ２１０において、制御部１０は、ボタン画像から指示体が離れたか否かを判定する（ステップＳ２１０）。
ステップＳ２１０において、当該ボタン画像から指示体が離れた場合（ステップＳ２１０の判定がＹｅｓの場合）、制御部１０は、ステップＳ２１１へ進む。
一方、ステップＳ２１０において、当該ボタン画像から指示体が離れていない場合（ステップＳ２１０の判定がＮｏの場合）、制御部１０は、ステップＳ２０６へ戻り、ボタン操作の判定を続行する（ステップＳ２０６）。
【００６７】
最後に、ステップＳ２１１において、制御部１０は、ボタン画像の制御データのボタン画像操作の有効条件（図２）を参照し、ボタン画像操作の有効条件がボタン画像から指示体が離れた時点に設定されているか否かを判定する（ステップＳ２１１）。
ステップＳ２１１において、当該ボタン画像から指示体が離れた時点にボタン画像操作の有効条件が設定されている場合（ステップＳ２１１の判定がＹｅｓの場合）、制御部１０は、ステップＳ２０２へ戻る。
一方、ステップＳ２１１において、当該ボタン画像から指示体を離した時点にボタン画像操作の有効条件が設定されていない場合（ステップＳ２１１の判定がＮｏの場合）、制御部１０は、ステップＳ１０４へ戻る。
【００６８】
このように、ボタン画像の一連の操作処理において、制御部１０は、ボタン画像が押されたか否か（ステップＳ１０５の判定）、ボタン画像が押された状態のまま、指示体がボタン画像の領域外に外れたか否か（ステップＳ２０６の判定）、ボタン画像から指示体が離れたか否か（ステップＳ２１０の判定）を順にチェックし、各判定結果に応じたボタン画像の処理を行う。その結果、ボタン画像の操作条件が適切か否かに応じた判定がなされ、ボタン画像の操作条件が適切である場合、チェックマーク等の有効画像が表示されるため、操作者は、当該操作が有効になったか否かが容易に判別できる。
【００６９】
＜ボタン画像操作の有効表示の具体例＞
次に、図５〜図７に基づき、画像処理装置１００のボタン画像操作の有効表示の具体例について説明する。
【００７０】
最初に、図６に示すように、洗車機システムの装着品指定場面を例に、画面のレイアウト上「する」「しない」のボタン画像の切り替えを２つのボタンで構成できない場合の有効表示例について説明する。
【００７１】
図６（Ａ）に示すように、「後部カメラ逃がし」、「グリルガード」および「リアミラー」の３種類のボタン画像のうち、中央の「グリルガード」ボタンの初期画像３０１を操作者が指で押して選択しようとする状況を想定する。
初期状態において、左端の「後部カメラ逃がし」ボタン画像のみが「○選択済み」の状態にあり、残りの２つのボタン画像（すなわち、中央の「グリルガード」ボタン画像と右端の「リアミラー」ボタン画像）は、いずれも「×選択なし」の状態にある。
【００７２】
図６（Ａ）に示す初期状態において、操作者が中央の「グリルガード」ボタンを指で押し、当該ボタン画像の操作が有効であるとき、図６（Ｂ）に示すように、押された初期画像３０１の位置に当該ボタン画像と同程度のサイズの、チェックマークが付された有効画像３０２が画面上に表示される。
【００７３】
具体的には、「グリルガード」ボタンの初期画像３０１があった位置に、初期画像３０１の全体と同じサイズのチェックマークが付された有効画像が表示される。当該視覚表示は、予め定められた時間続き、操作者の注意を喚起する。
なお、有効画像３０２の代わりに、図５（Ｂ）に示すような拡大画像２０２や図５（Ｃ）に示すような反転画像２０３を表示させるものであってもよい。
【００７４】
続いて、図６（Ｃ）に示すように、確定画像３０３が表示される。図６（Ｃ）において、確定画像３０３は、中央の「グリルガード」ボタンの画像が「○選択済み」の状態となった画像である。また、当該ボタン画像の操作が有効であることを聴覚や触覚を通じて操作者に知らせるべく、有効画像３０２または確定画像３０３の表示とともに、音声の再生や振動の発生が実行されるものであってもよい。
【００７５】
このように、画面レイアウトの制約から、「○選択済み」「×選択なし」の２種類の異なるボタン画像を並べて表示することができない場合、選択前と選択後でボタン画像の変更を行い、その間に有効画像を表示させるため、操作が有効になったか否かを操作者が容易に判別でき、操作用画像の操作の選択忘れや選択間違いを防ぐことが可能となる。
【００７６】
最後に、図７に基づき、第１実施形態に係る画像処理装置１００の有効表示の変形例を説明する。
図７は、図６に示す有効表示処理の変形例を示す説明図である。
【００７７】
ここでは、洗車機システムのトッピング追加場面を例に、画面レイアウト上「する」「しない」のボタン画像の切り替えを２つのボタンで構成可能な場合の有効表示例について説明する。
【００７８】
図７（Ａ）に示すように、洗車コースのトッピングとして、「高圧スプレー」の追加について、「○する」「×しない」の２種類のボタン画像のいずれか一方を操作者が指で押すことによって、「○する」「×しない」の選択を行う場合を想定する。
【００７９】
「高圧スプレー」の選択について、「×しない」ボタンの画像が選択されている初期状態において、操作者が「×しない」ボタンの画像に隣接して配置された「○する」の初期画像４０１を指で押したとき、図７（Ｂ）に示すように、押された初期画像４０１の位置に当該ボタン画像と同程度のサイズの、チェックマークが付された有効画像４０２が画面上に表示される。
【００８０】
具体的には、「○する」ボタンの初期画像４０１があった位置に、初期画像４０１の全体と同じサイズのチェックマークが付された有効画像４０２が表示される。当該視覚表示は、予め定められた時間続き、操作者の注意を喚起する。
なお、有効画像４０２の代わりに、図５（Ｂ）に示すような拡大画像２０２に相当する画像や図５（Ｃ）に示すような反転画像２０３に相当する画像を表示させるものであってもよい。
【００８１】
続いて、図７（Ｃ）に示すように、確定画像４０３が表示される。図７（Ｃ）において、確定画像４０３は、凸形状に影付けされた「○する」ボタンの初期画像４０１が凹形状に影付けされた「○する」ボタンの画像である。
【００８２】
また、「○する」「×しない」の２種類の切り替え操作を、対応する２つのボタン画像で行う場合、選択されなかったほうのボタン画像を、非選択状態を示す画像（例えば、グレー色）に差し替えて表示してもよい。
さらに、当該ボタン画像の操作が有効であることを聴覚や触覚を通じて操作者に知らせるべく、有効画像４０２または確定画像４０３の表示とともに、音声の再生や振動の発生が実行されるものであってもよい。その場合、「○する」のボタン画像を押した場合と「×しない」のボタン画像を押した場合とで、異なる音声を再生させ、または強弱の異なる振動を発生させるものであってもよい。
【００８３】
このように、画面上に「○する」「×しない」の２種類の異なるボタン画像が並べて表示される場合においても、操作が有効になったか否かを操作者が容易に判別できるため、操作用画像の操作の選択忘れや選択間違いを防ぐことが可能となる。
【００８４】
なお、上に挙げた処理はあくまで一例であり、この発明の画像処理装置１００の処理を限定するものではない。
【符号の説明】
【００８５】
１０：制御部
１１：表示部
１２：記憶部
１３：操作部
１４：音声再生部
１５：振動部
１６：通信部
１００：画像処理装置
１０１：オプション
２０１，３０２，４０２：有効画像
２０２：拡大画像
２０３：反転画像
３０１，４０１：初期画像
３０３，４０３：確定画像
【図１】
2014089670.tif 000003
【図２】
2014089670.tif 000004
【図３】
2014089670.tif 000005
【図４】
2014089670.tif 000006
【図５】
2014089670.tif 000007
【図６】
2014089670.tif 000008
【図７】
2014089670.tif 000009
【図８】
2014089670.tif 000010